(57)【特許請求の範囲】
【請求項１】
上端部が上方に膨らんだ上部チャンバー及び下端部が下方に膨らんだ下部チャンバーが各々互いに結合する中間部に行くほど直径が大きくなる形態のボール形状で救命チャンバーを構成し、
前記上部チャンバーの下部は金属板の内側面と弾性板の外側面により構成するとともに上部は透明板により構成し、
前記下部チャンバーは金属板の内側面と弾性板の外側面により構成し、
前記上部チャンバーの上端中心部に取っ手が備えられた開閉門を設置し、
前記下部チャンバー内部の凹んだ下端部には重心になる重量物が置かれて前記救命チャンバーを不倒翁のように動かせ、
前記重量物上の下部チャンバー内部には少なくとも１つ以上の待避溝を上面に形成した軽量待避体を設置し、
前記開閉門は、
上面の取っ手の周辺に複数の通気孔が形成された開閉本体と、
前記開閉本体の下端部に連結されボール形状の救命チャンバー内部に繋がる樋により構成され、
前記待避溝内に待避椅子を設置するとともに、前記待避溝内の壁面に待避取っ手を設けたことを特徴とする、不倒翁型救命チャンバー。
【請求項２】
前記金属板は鉄板で、弾性板はゴム板で、透明板は透明アクリル板であることを特徴とする、請求項１に記載の不倒翁型救命チャンバー。
【請求項３】
前記開閉門の上面に取り付けられた夜光板、及び開閉門の上面に設置した警光灯を、更に含むことを特徴とする、請求項１に記載の不倒翁型救命チャンバー。
【請求項４】
前記重量物はコンクリート又は鋼鉄塊で、
前記軽量待避体はスポンジ又はスタイロフォームであることを特徴とする、請求項１に記載の不倒翁型救命チャンバー。
【発明の詳細な説明】
【技術分野】
【０００１】
本発明は、上方の上部チャンバーと下方の下部チャンバーが互いに結合され、中間部へ行くほど直径が大きくなる形態に構成した不倒翁型の救命チャンバーに関するものである。詳しくは、前記救命チャンバーの内部の凹んだ下端部に重量物を設けて不倒翁のように動かせ、その上の救命チャンバーの内部には待避溝を設けた軽量待避体を設置し、前記救命チャンバーの上面には開閉門を設けて、津波が押し寄せても一定時間は前記救命チャンバーの内部で安全に待避することができる、不倒翁型の救命チャンバーに関するものである。
【背景技術】
【０００２】
本発明の背景技術には、最近東日本大震災の津波による被害を受けた後、マスコミにより紹介されたように、密閉されて水上に浮遊する潜水艇形態の従来の救命具がある。
【０００３】
この従来の救命具は非常時に２〜３名又は４〜５名の人が待避し前記救命具内で一定期間最小限に生存できるために食品と寝具及び通信手段などを完璧に備えた待避施設で、この物品や装備などを備えることにより、救命具自体を含めて嵩張るだけでなく製作費用も相当かかり、高価装備として紹介されたことがある。
【０００４】
しかしながら、前記従来の救命具は高価装備であるため誰もが負担なく購入して利用することができない短所があり、津波の特性上海水が押し寄せた後から引くまでの約２〜３時間だけ待避すれば良いということを考慮すると、食物を摂取しながら何日間も待避できる前記従来の救命具のように完璧な施設を設けて製作する必要はない。
【０００５】
また、前記の従来救命具はサイズが相当大きいため、かなり大きな家でなければその保管が困難であるだけでなく自由な移動の制約という問題もある。
【発明の概要】
【発明が解決しようとする課題】
【０００６】
本発明は、前記のあらゆる問題点を改善するため案出したもので、その目的は上端部が上方に膨らんだ上部チャンバーと下端部が下方に膨らんだ下部チャンバーが互いに結合され、結合される中間部へ行くほど直径が大きくなるボールのような形状の救命チャンバーを構成し、前記救命チャンバーの上部チャンバー下部と下部チャンバーは軽い素材で構成し、前記上部チャンバーの上部は透明素材にしながら上部チャンバーの上端中心部に取っ手の備えられた開閉門を設置し、前記下部チャンバー内の凹んだ下端部には鋼鉄塊などの重量物を配置し、救命チャンバーを不倒翁のように動かし、前記下部チャンバー内部の重量物の上には待避溝が形成されたスタイロフォームなどの軽量待避体を設置した、不倒翁型救命チャンバーを提供することである。
【０００７】
本発明の不倒翁型救命チャンバーにより非常時に救命チャンバーが水上で不倒翁のように常に直立浮遊の状態になり、この状態で救命チャンバー内部の軽量待避体の待避溝に待避者が入っていくと、短時間の安全な待避ができ、透明素材の上部チャンバーの上部から救命チャンバー内部の待避者を確認しながら開閉門の取っ手によりもっと安全な救出ができる。
【０００８】
他の目的は、前記救命チャンバー上部の開閉門に通気孔を設けることで、待避者が待避している間に呼吸用酸素の十分な供給を受けることができる不倒翁型救命チャンバーを提供することである。  
【０００９】
また他の目的は、前記救命チャンバー上部の開閉門に夜光板、又は／及び、警光灯を設けることで、救出時に本発明の不倒翁型救命チャンバーをもっとよく見つけることができる不倒翁型救命チャンバーを提供することである。
【課題を解決するための手段】
【００１０】
上記の目的を達成するため本発明の不倒翁型救命チャンバーは、上端部が上方に膨らんだ上部チャンバー及び下端部が下方に膨らんだ下部チャンバーが各々互いに結合される中間部へ行くほど直径が大きくなる形態のボール形状の救命チャンバーを構成し、前記上部チャンバーの下部は金属板の内側面と弾性板の外側面により構成するとともに上部は透明板で構成し、前記下部チャンバーは金属板の内側面と弾性板の外側面により構成し、前記上部チャンバーの上端中心部に取っ手が備えられた開閉門を設置し、前記下部チャンバー内部の凹んだ下端部には重心になる重量物が置かれて前記救命チャンバーが不倒翁のように動かし、前記重量物の上の下部チャンバー内部には少なくとも１つ以上の待避溝を上面に形成した軽量待避体を設け、前記開閉門は、上面の取っ手の周辺に複数の通気孔が形成された開閉本体と、前記開閉本体の下端部に連結されボール形状の救命チャンバー内部に繋がる樋により構成され、前記待避溝内に待避椅子を設置するとともに、前記待避溝内の壁面に待避取っ手を設けたことを特徴とする。
【００１１】
また、前記金属板は鉄板で、弾性板はゴム板で、透明板は透明なアクリル板で、また前記重量物はコンクリート又は鋼鉄塊で、前記軽量待避体はスポンジ又はスタイロフォームにより構成されることが好ましい。
【００１２】
また、前記開閉門の上面に取り付けられた夜光板と、開閉門の上面に設置した警光灯を更に含むことが好ましい。
【発明の効果】
【００１３】
本発明の不倒翁型救命チャンバーは、低費用の製作と便利な使用ができるため誰でもその購入と使用ができ、さほど重くなくサイズも適当であるため保管が容易であることと自由な移動ができるという効果がある。
【００１４】
また、前記救命チャンバーが不倒翁のように動くため水上で常に直立状態を維持し待避者が安定的に待避できるし、救命チャンバーの上部が透明板により構成され前記救命チャンバー内部の待避者状態を常に確認できる効果がある。
【００１５】
また、前記救命チャンバーの上部に夜光板が取り付けられ、夜間にも容易に識別でき救命チャンバーを探すことにおいて非常に有利であり、警光灯が設けられている場合救助のため救命チャンバーの位置を非常に容易に把握できる効果がある。
【００１６】
また、救命チャンバー内部に設けられたスタイロフォームなどの軽量待避体により前記軽量待避体の待避溝で待避者が椅子に座っていれば、前記救命チャンバーに衝撃が与えられても救命チャンバーの破損がなく、軽量待避体がそれを吸収するため待避者は安全に待避できる効果がある。
【００１７】
更に、前記救命チャンバーの下部面と周面が弾性力を有するゴム板により構成され、水に押し流されて他の物体とぶつかっても救命チャンバーの受けた衝撃を緩和させ、救命チャンバー内の待避者をより安全に保護できる効果がある。
【図面の簡単な説明】
【００１８】
【図１】図１は、本発明の不倒翁型救命チャンバーの斜視図である。
【図２】図２は、本発明の不倒翁型救命チャンバーの縦断面図及び主要部の拡大図である。
【発明を実施するための形態】
【００１９】
以下、本発明の不倒翁型救命チャンバーの好ましい実施例と添付図面を参照しながら詳しく説明する。本発明は以下の開示の実施例に限定されなく、他の様々な形態で実現でき、本実施例は単に本発明の開示を完全にするためのもので、通常の知識を有する者に対して発明の範疇を完全に知らせるために提供されるものである。
【００２０】
図１は本発明の不倒翁型救命チャンバーの斜視図であり、図２は本発明の不倒翁型救命チャンバーの縦断面図及び主要部拡大図を図示したものである。
【００２１】
図１と図２の通り、本発明の不倒翁型救命チャンバーは完全な球の形態ではなく中間部へ行くほど直径が大きくなる形態の球形状で構成されるように互いに結合される上部チャンバー１０ａと下部チャンバー１０ｂにより構成される救命チャンバー１０と、前記救命チャンバー１０の上部チャンバー１０ａに設けられる開閉門２と不倒翁の動作のための重量物３、及び軽量待避体４により構成される。
【００２２】
前記救命チャンバー１０は、上端部が上方に膨らんだ半球形態の上部チャンバー１０ａと下端部が下方に膨らんだ半球形態の下部チャンバー１０ｂを重ねてネジ結合し組立てた形態で、前記上部チャンバー１０ａと下部チャンバー１０ｂが結合され互いに接する中間部へ行くほど直径が段々大きくなる形態のボール形状として構成することにより、水上での安定的な浮遊ができるようになる。この救命チャンバー１０の形状は、さながらラグビーボールを長さ方向に置いといて、上部は上方に膨らませ、下部は下方に膨らませ、延長して形成したものと類似である。
【００２３】
また、前記救命チャンバー１０を構成する上部チャンバー１０ａの下部は互いに重なった金属板１ａと弾性板１ｂにより構成され、前記金属板１ａが内側面に位置し弾性板１ｂが外側面に位置し、下部と繋がる上部チャンバー１０ａの上部は透明板１ｃにより構成される。前記金属板１ａは薄い鉄板を用い、弾性板１ｂは主にゴム板を使用し、透明板１ｃは透明アクリル板を用いることが好ましい。
【００２４】
また、前記救命チャンバー１０を構成する下部チャンバー１０ｂは互いに重なった金属板１ａと弾性板１ｂにより構成され、前記金属板１ａが内側面に位置し弾性板１ｂが外側面に位置し、このように構成された下部チャンバー１０ｂに上部チャンバー１０ａを載せてネジ結合で組立て一体にする。
【００２５】
前記開閉門２は救命チャンバー１０の上部に、即ち上部チャンバー１０ａ上端の透明板１ｃ中心部に設置された開閉本体５と前記開閉本体５の下端部に連結された樋２ｃにより構成され、開閉門２には自動車ドアの取っ手と類似した引き寄せ取っ手２ａが設置されている。従って、前記取っ手２ａを引き寄せると片側に連結されたヒンジを基点として上方に開けられたり下方に閉じられたりし、開閉門２の内側にも同じ形態の取っ手２ａを設ける。
【００２６】
この取っ手２ａは、例えば海水上に浮遊の救命チャンバー１０を救助する際、引き上げられるフック掛けの役割をする。前記取っ手２ａが引き上げられる際開閉門２が開けられないようにするため、前記開閉門２を開けて救命チャンバー１０内に入った待避者が内部で開閉門２を自ら閉めることができるようにしなければならない。
【００２７】
前記開閉門２上には救命チャンバー１０の内部と連通し外部空気を前記救命チャンバー１０内へ供給できるように複数の通気孔２ｂが貫通され、前記通気孔２ｂを介して雨水などが救命チャンバー１０内に流入する恐れがあるので前記開閉門２の下端部には前記した通り開閉門２と一体となった樋２ｃが連結される。前記樋２ｃは救命チャンバー１に内部に位置し開閉門２と共に開閉されながら開閉門２に形成された通気孔２ｂを介して流入される雨水などを溜めておくことになる。
【００２８】
前記重量物３は重心になり救命チャンバー１０が不倒翁にように動かせるため前記救命チャンバー１０の下部チャンバー１０ｂ内部の凹んだ下端部に配置したもので、相当の重量を有するようにコンクリートや鋼鉄塊を使用することが好ましい。
【００２９】
前記軽量待避体４はスポンジやスタイロフォームを使用し下部チャンバー１０ｂ内の重量物３上から前記下部チャンバー１０ｂ上端部の直下程度まで位置するように設置したもので、軽量待避体４の上面には１つ又は２〜３個程度の待避溝４ａが形成されている。図面の中心部には１つの待避溝４ａが形成されている。
【００３０】
前記待避溝４ａ内には待避者が安定的に待避できるように着席できる待避椅子４ｂを設置し、前記待避椅子４ｂに座っている時待避者の安定な姿勢の維持ができるように向こう側の待避溝４ａ内の壁面に待避取っ手４ｃを設けて待避者がそれをつかんで座れることが好ましい。
【００３１】
従って、待避者は前記救命チャンバー１０内に入って軽量待避体４の待避溝４ａ内の待避椅子４ｂに座りながら待避取っ手４ｃをつかんでいれば、津波により海水が押し寄せても待避者は安定な姿勢を支持しながら救命チャンバー１０が引き続き水上に浮遊し安全な待避ができる。前記待避溝４ａは必要に応じて２個以上を設けることは当然である。
【００３２】
その後、海水が引いて救命チャンバー１０が地上にある場合、待避者は前記救命チャンバー１０の内側から取っ手で開閉門２を開けて外に出ることになり、救命チャンバー１０が海水に浮遊している場合待避者は開閉門２を開け外に出て救助を要請するか、前記開閉門２の取っ手２ａを掛けて救命チャンバー１０自体を地上に移動させ救助する。
【００３３】
更に、前記開閉門２の上部面の全体に夜光板を取り付けることで救助の時夜間でも救命チャンバー１０が目立つようにし容易に識別できることが好ましく、必要に応じて開閉門２上に警光灯６を設置し音と点滅光で救助の時より目立つようにすることで救命チャンバーを容易に識別できるようにすることが好ましい。
【００３４】
以上で本発明による不倒翁型救命チャンバーに関し例示図面を参照しながら説明をしたが、本明細書に開示の実施例と図面により本発明が限定されることではなく、本発明に技術思想の範囲内で当業者により様々な変形ができることは当然である。
【符号の説明】
【００３５】
１０：救命チャンバー
１ａ：金属板
１ｂ：弾性板
１ｃ：透明板
２：開閉門
２ａ：取っ手
２ｂ：通気孔
２ｃ：樋
３：重量物
４：軽量待避体
４ａ：待避溝
４ｂ：待避椅子
４ｃ：待避取っ手
５：開閉本体
６：警光灯
１０ａ：上部チャンバー
１０ｂ：下部チャンバー
【図１】
0005564081.tif 000002
【図２】
0005564081.tif 000003